【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
第１の演奏者側から少なくとも音高情報を有する第１の演奏情報を入力し、第２の演奏者側から少なくとも音高情報を有する第２の演奏情報を入力する入力手段と、
第１の演奏者側から前記入力手段に入力された第１の演奏情報を出題演奏情報とし、その第１の演奏情報が入力された後に、第２の演奏者側から入力された第２の演奏情報を解答演奏情報とする第１のモードと、第２の演奏者側から前記入力手段に入力された第２の演奏情報を出題演奏情報とし、その第２の演奏情報が入力された後に、第１の演奏者側から入力された第１の演奏情報を解答演奏情報とする第２のモードとを切り替えるモード切替手段と、
そのモード切替手段により第１のモードまたは第２のモードに設定されている場合に、前記入力手段に入力された出題演奏情報及び／又は解答演奏情報に基づき、予め規定されている条件が満足されたか否かを判定する条件判定手段と、
その条件判定手段により前記条件が満足されたと判定された場合に、前記モード切替手段により設定されているモードを切り替えるように制御する制御手段とを備えていることを特徴とする演奏情報処理装置。
【請求項２】
複数の演奏操作子を含む所定の演奏領域を、第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードを指示する分割モード指示手段と、
その分割モード指示手段により分割モードが指示された場合に、前記第１の領域を前記第１の演奏者側としてその領域の演奏操作子が操作された場合は、第１の演奏情報を前記入力手段へ出力し、第２の領域を第２の演奏者側としてその領域の演奏操作子が操作された場合は、第２の演奏情報を前記入力手段へ出力する演奏情報出力手段を備えていることを特徴とする請求項１記載の演奏情報処理装置。
【請求項３】
複数の演奏操作子を含む所定の演奏領域を、第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードを指示する分割モード指示手段と、
その分割モード指示手段により指示された分割モードにおいて、前記第１の領域に含まれる演奏操作子及び前記第２の領域に含まれる演奏操作子によって指定可能な音高情報を少なくとも含む演奏情報を、出題演奏情報として出力する出題演奏情報出力手段と、
その出題演奏情報出力手段により前記出題演奏情報が出力された後に前記第１の領域又は前記第２の領域の前記演奏操作子が操作された場合に、その操作された演奏操作子が前記第１の領域又は前記第２の領域のいずれに属するかを判別する領域判別手段と、
前記出題演奏情報出力手段により前記出題演奏情報が出力された後に前記第１の領域又は前記第２の領域の前記演奏操作子が操作された場合に、その操作された演奏操作子が指定する音高情報を少なくとも含む演奏情報を解答演奏情報として取得する解答演奏情報取得手段と、
その解答演奏情報取得手段により取得された解答演奏情報、前記出題演奏情報出力手段により出力された出題演奏情報、及び前記領域判別手段により判別された領域のうち、少なくとも１つに基づき、予め規定されている条件が満足されたか否かを判定する条件判定手段とを備えていることを特徴とする演奏情報処理装置。
【請求項４】
複数の演奏操作子を含む所定の演奏領域を、第１の領域とその第１の領域とは異なる第２の領域とに分割する分割モードを指示する分割モード指示手段と、
その分割モード指示手段により指示された分割モードにおいて、前記第１の領域又は前記第２の領域のいずれかを選定する領域選定手段と、
その領域選定手段により選定された領域に含まれる演奏操作子によって指定可能な音高情報を少なくとも含む演奏情報を、出題演奏情報として出力する出題演奏情報出力手段と、
前記出題演奏情報出力手段により前記出題演奏情報が出力された後に前記領域選定手段により選定されている領域に属する演奏操作子が操作された場合に、その操作された演奏操作子が指定する音高情報を少なくとも含む演奏情報を解答演奏情報として取得する解答演奏情報取得手段と、
その解答演奏情報取得手段により取得された解答演奏情報及び／又は前記出題演奏情報出力手段により出力された出題演奏情報に基づき、予め規定されている条件が満足されたか否かを判定する条件判定手段とを備え、
前記領域選定手段は、前記条件判定手段により前記条件が満足されたと判定された場合に、現在選定されている領域とは異なる領域を新たに選定することを特徴とする演奏情報処理装置。
【請求項５】
請求項２乃至請求項４のいずれかに記載の演奏情報処理装置と、
所定の演奏領域に配置されている複数の演奏操作子とを備えていることを特徴とする電子楽器。
【手続補正２】
【補正対象書類名】明細書
【補正対象項目名】発明の名称
【補正方法】変更
【補正の内容】
【発明の名称】演奏情報処理装置及び電子楽器
【手続補正３】
【補正対象書類名】明細書
【補正対象項目名】０００１
【補正方法】変更
【補正の内容】
【０００１】
本発明は、演奏情報処理装置に関し、特に、聴音や読譜教習に有効な演奏情報処理装置及び電子楽器に関する。
【手続補正４】
【補正対象書類名】明細書
【補正対象項目名】０００４
【補正方法】変更
【補正の内容】
【０００４】
本発明は、上述した問題点を解決するためになされたものであり、生徒の興味を維持し、その結果、有効に聴音や読譜教習を行い得る演奏情報処理装置及び電子楽器を提供することを目的としている。
【手続補正５】
【補正対象書類名】明細書
【補正対象項目名】０００５
【補正方法】変更
【補正の内容】
【０００５】
この目的を達成するために、請求項１記載の演奏情報処理装置は、第１の演奏者側から少なくとも音高情報を有する第１の演奏情報を入力し、第２の演奏者側から少なくとも音高情報を有する第２の演奏情報を入力する入力手段と、第１の演奏者側から前記入力手段に入力された第１の演奏情報を出題演奏情報とし、その第１の演奏情報が入力された後に、第２の演奏者側から入力された第２の演奏情報を解答演奏情報とする第１のモードと、第２の演奏者側から前記入力手段に入力された第２の演奏情報を出題演奏情報とし、その第２の演奏情報が入力された後に、第１の演奏者側から入力された第１の演奏情報を解答演奏情報とする第２のモードとを切り替えるモード切替手段と、そのモード切替手段により第１のモードまたは第２のモードに設定されている場合に、前記入力手段に入力された出題演奏情報及び／又は解答演奏情報に基づき、予め規定されている条件が満足されたか否かを判定する条件判定手段と、その条件判定手段により前記条件が満足されたと判定された場合に、前記モード切替手段により設定されているモードを切り替えるように制御する制御手段とを備えている。
【手続補正６】
【補正対象書類名】明細書
【補正対象項目名】０００６
【補正方法】変更
【補正の内容】
【０００６】
請求項２記載の演奏情報処理装置は、請求項１記載の演奏情報処理装置において、複数の演奏操作子を含む所定の演奏領域を、第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードを指示する分割モード指示手段と、その分割モード指示手段により分割モードが指示された場合に、前記第１の領域を前記第１の演奏者側としてその領域の演奏操作子が操作された場合は、第１の演奏情報を前記入力手段へ出力し、第２の領域を第２の演奏者側としてその領域の演奏操作子が操作された場合は、第２の演奏情報を前記入力手段へ出力する演奏情報出力手段を備えている。
【手続補正７】
【補正対象書類名】明細書
【補正対象項目名】０００７
【補正方法】変更
【補正の内容】
【０００７】
請求項３記載の演奏情報処理装置は、複数の演奏操作子を含む所定の演奏領域を、第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードを指示する分割モード指示手段と、その分割モード指示手段により指示された分割モードにおいて、前記第１の領域に含まれる演奏操作子及び前記第２の領域に含まれる演奏操作子によって指定可能な音高情報を少なくとも含む演奏情報を、出題演奏情報として出力する出題演奏情報出力手段と、その出題演奏情報出力手段により前記出題演奏情報が出力された後に前記第１の領域又は前記第２の領域の前記演奏操作子が操作された場合に、その操作された演奏操作子が前記第１の領域又は前記第２の領域のいずれに属するかを判別する領域判別手段と、前記出題演奏情報出力手段により前記出題演奏情報が出力された後に前記第１の領域又は前記第２の領域の前記演奏操作子が操作された場合に、その操作された演奏操作子が指定する音高情報を少なくとも含む演奏情報を解答演奏情報として取得する解答演奏情報取得手段と、その解答演奏情報取得手段により取得された解答演奏情報、前記出題演奏情報出力手段により出力された出題演奏情報、及び前記領域判別手段により判別された領域のうち、少なくとも１つに基づき、予め規定されている条件が満足されたか否かを判定する条件判定手段とを備えている。
【手続補正８】
【補正対象書類名】明細書
【補正対象項目名】０００８
【補正方法】変更
【補正の内容】
【０００８】
請求項４記載の演奏情報処理装置は、複数の演奏操作子を含む所定の演奏領域を、第１の領域とその第１の領域とは異なる第２の領域とに分割する分割モードを指示する分割モード指示手段と、その分割モード指示手段により指示された分割モードにおいて、前記第１の領域又は前記第２の領域のいずれかを選定する領域選定手段と、その領域選定手段により選定された領域に含まれる演奏操作子によって指定可能な音高情報を少なくとも含む演奏情報を、出題演奏情報として出力する出題演奏情報出力手段と、前記出題演奏情報出力手段により前記出題演奏情報が出力された後に前記領域選定手段により選定されている領域に属する演奏操作子が操作された場合に、その操作された演奏操作子が指定する音高情報を少なくとも含む演奏情報を解答演奏情報として取得する解答演奏情報取得手段と、その解答演奏情報取得手段により取得された解答演奏情報及び／又は前記出題演奏情報出力手段により出力された出題演奏情報に基づき、予め規定されている条件が満足されたか否かを判定する条件判定手段とを備え、前記領域選定手段は、前記条件判定手段により前記条件が満足されたと判定された場合に、現在選定されている領域とは異なる領域を新たに選定するものである。
【手続補正９】
【補正対象書類名】明細書
【補正対象項目名】０００９
【補正方法】変更
【補正の内容】
【０００９】
請求項５記載の電子楽器は、請求項２乃至請求項４のいずれかに記載の演奏情報処理装置と、所定の演奏領域に配置されている複数の演奏操作子とを備えている。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
請求項１記載の演奏情報処理装置によれば、第１の演奏者側から少なくとも音高情報を有する第１の演奏情報が入力手段に入力された場合に、かかる第１の演奏情報を出題演奏情報とし、その第１の演奏情報が入力された後に、第２の演奏者側から音高情報を有する第２の演奏情報が入力手段に入力された場合に、かかる第２の演奏情報を解答演奏情報とする第１のモードと、第２の演奏者側から入力手段に入力された第２の演奏情報を出題演奏情報とし、その第２の演奏情報が入力された後に、第１の演奏者側から入力された第１の演奏情報を解答演奏情報とする第２のモードとが、モード切替手段により切り替えられる。
【手続補正１３】
【補正対象書類名】明細書
【補正対象項目名】００１４
【補正方法】変更
【補正の内容】
【００１４】
よって、第１の演奏者側から入力手段に入力された第１の演奏情報と第２の演奏者側から入力手段に入力された第２の演奏情報とは、演奏情報処理装置のモードが第１のモードにあるか、第２のモードにあるかに応じて、出題演奏情報になるか解答演奏情報になるかが入れ替わる。ここで、第１のモードと第２のモードとの切り替えは、条件判定手段による判定に応じて制御手段によって制御されて行われる。
【手続補正１４】
【補正対象書類名】明細書
【補正対象項目名】００１５
【補正方法】変更
【補正の内容】
【００１５】
このように、請求項１記載の演奏情報処理装置によれば、第１の演奏者及び第２の演奏者の一方が出題者、他方が解答者となって、これらの出題側と解答側とが適宜入れ替わる。その結果、ゲーム感覚で聴音又は読譜を学習することができ、学習する者の興味を維持させることができると共に、競争意識によって互いに切磋琢磨しつつ学習を行うことができるので、効率的に聴音又は読譜の学習をさせることができるという効果がある。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】変更
【補正の内容】
【００１８】
請求項２記載の演奏情報処理装置によれば、請求項１記載の演奏情報処理装置の奏する効果に加えて、次の効果を奏する。分割モード指示手段により、演奏領域を第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードが指示された場合には、第１の領域を第１の演奏者側としてその領域の演奏操作子が操作されると、第１の演奏情報が演奏情報出力手段によって入力手段へ出力され、一方で、第２の領域を第２の演奏者側としてその領域の演奏操作子が操作されると、第２の演奏情報が演奏情報出力手段によって入力手段へ出力される。
【手続補正１８】
【補正対象書類名】明細書
【補正対象項目名】００１９
【補正方法】変更
【補正の内容】
【００１９】
よって、各領域を演奏する演奏者の一方が出題側となり、他方が解答側となって、これらの出題側と解答側とが適宜入れ替わるので、ゲーム感覚で聴音又は読譜を学習することができ、学習する者の興味を維持させることができると共に、競争意識によって互いに切磋琢磨しつつ学習を行うことができるので、効率的に聴音又は読譜の学習をさせることができるという効果がある。
【手続補正１９】
【補正対象書類名】明細書
【補正対象項目名】００２０
【補正方法】変更
【補正の内容】
【００２０】
請求項３記載の演奏情報処理装置によれば、演奏領域を第１の領域とその第１の領域とは異なる第２の領域であって、その第２の領域に含まれる演奏操作子に基づいて、前記第１の領域の演奏操作子に基づいて指定される音高情報と同一の音高情報を指定可能な領域とに分割する分割モードを、分割モード指示手段によって指示することができる。
【手続補正２０】
【補正対象書類名】明細書
【補正対象項目名】００２４
【補正方法】変更
【補正の内容】
【００２４】
解答演奏情報取得手段により解答演奏情報が取得されると、その解答演奏情報取得手段により取得された解答演奏情報、出題演奏情報出力手段により出力された出題演奏情報、及び前記領域判別手段により判別された領域のうち、少なくとも１つに基づき、予め規定されている条件が満足されたか否かが、条件判定手段により判定される。ここで、条件が満足されたと判定された場合に、その判定結果を報知するように構成することができる。
【手続補正２１】
【補正対象書類名】明細書
【補正対象項目名】００２５
【補正方法】変更
【補正の内容】
【００２５】
よって、出題演奏情報出力手段により出題演奏情報が出力されて問題が出題された後、予め規定された条件を最も早く満たした領域など、その他所定の条件を満たしたか否かの判定結果が報知される。このように、請求項３記載の演奏情報処理装置によれば、各解答者同士に出題してから条件を満たすまでの早さを競わせるので、ゲーム感覚で聴音又は読譜を学習することができ、学習する者の興味を維持させることができると共に、競争意識によって互いに切磋琢磨しつつ学習を行うことができるので、効率的に聴音又は読譜の学習をさせることができるという効果がある。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
なお、請求項３における「予め規定されている条件」としては、例えば、取得された解答演奏情報と先に出力された出題演奏情報とを比較して得られた評価（例えば、正答である、誤答である、正答ではないがある程度の類似性がある、など）や、出題演奏情報の出題数や、解答演奏情報の解答数や、出題演奏情報が入力されてからの経過時間などが挙げられ、予め規定されている条件は単独の条件又は複数の条件の組み合わせのいずれであってもよい。
【手続補正２４】
【補正対象書類名】明細書
【補正対象項目名】００２８
【補正方法】変更
【補正の内容】
【００２８】
請求項４記載の演奏情報処理装置によれば、演奏領域を第１の領域とその第１の領域とは異なる第２の領域とに分割する分割モードを、分割モード指示手段によって指示することができる。
【手続補正２５】
【補正対象書類名】明細書
【補正対象項目名】００３２
【補正方法】変更
【補正の内容】
【００３２】
よって、領域選定手段により、演奏領域の分割によって生じた第１の領域又は第２の領域のうちのいずれかの一方の領域が解答用の区域として選定され、かかる解答用の区域は、予め規定された条件を満たした場合に、他方の領域に変更される。このように、請求項４記載の演奏情報処理装置によれば、解答側を適宜交替させることにより、ゲーム感覚で聴音又は読譜を学習することができ、学習する者の興味を維持させることができると共に、競争意識によって互いに切磋琢磨しつつ学習を行うことができるので、効率的に聴音又は読譜を学習させることができるという効果がある。
【手続補正２６】
【補正対象書類名】明細書
【補正対象項目名】００３３
【補正方法】変更
【補正の内容】
【００３３】
なお、請求項４における「予め規定されている条件」としては、例えば、取得された解答演奏情報と先に出力された出題演奏情報とを比較して得られた評価（例えば、正答である、誤答である、正答ではないがある程度の類似性がある、など）や、出題演奏情報の出題数や、解答演奏情報の解答数や、出題演奏情報が入力されてからの経過時間などが挙げられ、予め規定されている条件は単独の条件又は複数の条件の組み合わせのいずれであってもよい。請求項５記載の電子楽器によれば、請求項２乃至４のいずれかに記載の演奏情報処理装置と同様の効果を奏する。